(57)【要約】【課題】室内に設置可能な滑り台装置の提供。【解決手段】滑り台本体１００と、滑り台本体１００の上部を支持する支持体１５０と、滑り台本体１００に水等の流体を循環させるための機構である、タンク１３１、給水ポンプ１３３、パイプ１４０とを備える。滑り台本体１００は、下部を開口した中空構造であり、タンク１３１は、滑り台本体１００の開口下部を支持し、タンク１３１には給水ポンプ１３３が設けられる。そして、パイプ１４０は、滑り台本体１００の中空部に配置され、パイプ１４０の一端が給水ポンプ１３３の吐出口に連結し、他端が、滑り台本体１００の内側上部まで延設される。パイプ１４０の他端にはノズルが連結される。タンク１３１に満たした流体が、パイプ１４０を介してノズルから噴射し、噴射された流体がタンク１３１内に戻ることを繰り返すことを特徴とする【選択図】図１
2011103972.tif 000002
【特許請求の範囲】
【請求項１】
下部を開口した中空構造の滑り台本体と、
前記滑り台本体の開口下部を支持するタンクと、
前記タンクに設けられた給水ポンプと、
前記滑り台本体の中空部に配置され、一端が前記給水ポンプの吐出口に連結し、他端が、前記滑り台本体の内側上部まで延設されたパイプと、
前記パイプの他端に連結されるノズルと、
前記滑り台本体の上部を支持する支持体とを備え、
前記タンクに満たした流体が、前記パイプを介してノズルから噴射し、噴射された流体がタンク内に戻ることを繰り返すことを特徴とする滑り台装置。
【請求項２】
前記タンクに傾斜部を設け、前記傾斜部の下方に前記給水ポンプの吸込口を配置する、請求項１に記載の滑り台装置。
【請求項３】
前記支持体が階段状に形成された設置台であり、当該設置台上部にユーザの落下を防止する部材を設けた請求項１または２に記載の滑り台装置。
【請求項４】
前記滑り台装置の一部に衝撃吸収材を被覆し、前記衝撃吸収材表面にゴム樹脂を塗布した請求項１から３いずれか一項に記載の滑り台装置。
【請求項５】
前記衝撃吸収材がウレタンである請求項４に記載の滑り台装置。
【発明の詳細な説明】
【技術分野】
【０００１】
本発明は、遊具に関し、特に、子供等のユーザが滑り降りることのできる滑り台装置に関する。
【背景技術】
【０００２】
従来、例えば、遊園地に設置可能な滑り台として、下記特許文献１に記載の技術のように、滑り台の滑降面上に流水装置を設けて、ユーザが、滑降面上に流れる水と共に滑り降りるように構成された滑り台装置（ウォータースライダと呼ばれる）が知られている。
【先行技術文献】
【特許文献】
【０００３】
【特許文献１】特開２０００−１６７２５４号公報
【発明の概要】
【発明が解決しようとする課題】
【０００４】
ところが、上記従来のウォータースライダは多量の水が必要であり、装置も大掛かりなので、室内に設置できなかった。更に、滑降面上に水が流れることで、ユーザと滑降面との摩擦抵抗が減少するので、滑降スピードがより速くなるため、体格的に発育した青少年以上の者には適しているものの、幼児が利用することができなかった。
本発明は、以上の実情に鑑みなされたものであって、幼児が手軽に楽しむことができ、しかも室内に設置可能な滑り台装置の提供を目的とする。
【課題を解決するための手段】
【０００５】
上記課題を達成するための本発明の滑り台装置は、滑り台本体と、上記滑り台本体を支持する支持体と、滑り台本体に水等の流体を循環させるための機構である、タンク、給水ポンプ、パイプ、ノズルとを備える。滑り台本体は、下部を開口した中空構造であり、タンクは、滑り台本体の開口下部を支持し、タンクには給水ポンプが設けられる。そして、パイプは、滑り台本体の中空部に配置され、パイプの一端が給水ポンプの吐出口に連結し、他端が、滑り台本体の内側上部まで延設される。パイプの他端にはノズルが連結される。支持体が、滑り台本体の上部を支持しており、タンクに満たした流体が、パイプを介してノズルから噴射し、噴射された流体がタンク内に戻ることを繰り返すことを特徴とする。
【０００６】
滑り台本体が、下部を開口した中空構造で構成され、滑り台本体の下方にタンクを設けて、タンク内の流体を給水ポンプで滑り台本体の内側上部まで引き上げる。当該流体は、給水ポンプの吐出口に連結したパイプを介して引き上げられ、パイプの他端に連結されたノズルから噴射することになる。したがって、タンク容量分の流体を用意するだけで、滑り台本体内に流体を循環させることができることになる。
【０００７】
上記の構成において、タンクに傾斜部を設け、傾斜部の下方に給水ポンプの吸込口を配置する構成を採用すると、タンクに蓄える流体の容量を傾斜部の分だけ減少させることができる。
上記の構成において、支持体が階段状に形成された設置台であることが望ましく、設置台上部にユーザの落下を防止する部材を設けることが望ましい。そして、滑り台装置の一部に衝撃吸収材を被覆し、当該衝撃吸収材表面にゴム樹脂を塗布した構成を採用することができる。更に、衝撃吸収材がウレタンであることが望ましい。
【発明の効果】
【０００８】
本発明の滑り台装置は、下部を開口した中空構造の滑り台本体に、流体を循環させることができる。タンク容量分の流体を用意することで、いわゆるウォータースライダをしている気分にさせる滑り台を提供することができる。更に、大量の水を必要としないので、手軽に室内等に設置することが可能である。また、給水ポンプを滑り台本体の外部に設置することで、修理や変更等のメンテナンスに優れた遊具を提供することが可能となる。
【図面の簡単な説明】
【０００９】
【図１】本発明の実施形態に係る滑り台装置の全体構成を示す図である。
【図２】本発明の実施形態に係る滑り台装置の滑り台本体を示す図である。
【図３】本発明の実施形態に係る滑り台装置の滑り台本体に流体を循環させるための機構を示す図である。
【図４】本発明の実施形態に係る滑り台装置の側面図及び、上面図である。
【図５】本発明の実施形態に係る滑り台装置の支持体である設置台を示す図である。
【発明を実施するための形態】
【００１０】
以下に、本発明の滑り台装置１００について図面を参照して説明する。図１は、本発明の滑り台装置１００の概略模式図であり、図２は滑り台本体１１０の拡大模式図、図３は流水機構１３０の概略模式図、図４は設置台の概略模式図、図５は、滑り台装置１００の側面図、上面図を示している。ただし、本発明に直接には関係しない各部の詳細は省略している。
【００１１】
図１に示すように、本発明の滑り台装置１００は、滑走面に平行な中空部が形成された滑り台本体１１０と、当該滑り台本体１１０の中空部内の上部から下部へと水等の流体を流すための流水機構１３０を備える。
図２に示す滑り台本体１１０は以下のように形成する。まず、側面の断面形状が略Ｓ字形状（できるだけ滑らかな形状が望ましい。）をした傾斜部材を形成する。上記傾斜部材に、所定の高さの側面部材１１２と、上部部材１１３を立設又は、連続的一体的に形成して、上側滑り台部材１１１を形成する。側面部材１１２は、傾斜部材の側面縁部より、所定距離（後述の装飾部材を取り付け可能な距離である）内側に立設又は、連続的一体的に形成する。なお、傾斜部材の下部を開口した状態で、滑り台本体１１０を組み立てるため、滑り台本体１１０の下方には開口部が形成されることになる。また、上側滑り台部材の両側面に側壁１１９を立設し、ユーザが側面から落下することを防止する構成を採用することも可能である。
【００１２】
上記上側滑り台部材１１１の上部及び下部は、水平に形成されており、滑り台本体１１０を組み立てたとき、後述のように、当該水平部分が、設置台１５０及び、タンク１３１に載置可能となっている。滑り台本体１１０の組み立て手順として、上側滑り台部材１１１に上記側面部材１１２及び、上部部材１１３を形成した状態で、当該上側滑り台部材１１１に下側滑り台部材１１５を固定することができる。又は、下側滑り台部材１１５に上記側面部材１１２及び、上部部材１１３を形成した状態で、当該下側滑り台部材１１５に上側滑り台部材１１１を固定することもできる。
【００１３】
本実施例では、上記側面部材１１２と上部部材１１３を上側滑り台部材１１１に立設又は連続的一体的に形成する。これは、後述のように、上側滑り台部材１１１に下側滑り台部材１１５をビス等で固定する際に、ビス等のねじ頭が上側滑り台部材１１１の表側に突出しないようにするためである。このため、上記側面部材１１２の下端にビス等を用いて、上側滑り台部材１１１と、下側滑り台部材１１５とを固定し、中空構造の滑り台本体１１０を形成する。なお、下側滑り台部材１１５の側面の断面形状は、上側滑り台部材１１１の側面の断面形状と略同じように成形される。
【００１４】
上記上側滑り台部材１１１の上部部材１１３、側面部材１１２を立設した方が裏側となり、表側が滑走面となる。次に、上記上側滑り台部材１１１の幅よりも、所定距離短い幅（上記側面部材１１２間と略同じ距離）で、下側滑り台部材１１５を形成する。
上記のように構成した上側滑り台部材１１１及び、下側滑り台部材１１５に、後述の流水機構１３０を組み込んだ後、当該下側滑り台部材１１５と上記上側滑り台部材１１１を固定することで、滑り台本体１１０を形成する。上記滑り台本体１１０は、滑走面と平行な中空部を備え、滑り台本体の下部には開口部１１６を備えた構成となる。
【００１５】
滑り台本体１１０には、後述のように、水流機構１３０により水等が循環する構成となるので、上記上側滑り台部材１１１と、下側滑り台部材１１５とを固定する際に、上側滑り台部材１１１の上部部材１１３、側面部材１１２と、下側滑り台部材１１５とは、水等が漏れないように液密に固定されることは言うまでもない。
図３は、上記のように構成した滑り台本体１１０に組み込まれる水流機構１３０を拡大した概略模式図である。上記水流機構１３０は、水等を蓄えるためのタンク１３１と、当該タンク１３１から水等を吸い込み、吐出させる給水ポンプ１３３とを有する給水装置１３６と、吐出された水等を滑り台本体１１０上部まで引き上げるためのパイプ１４０等からなる。
【００１６】
まず、上記滑り台本体１１０に循環させる水等を貯めるためのタンク１３１を用意する。上記タンク１３１は、図１に示すように、滑り台本体１１０の上部から流れ落ちる水等を蓄えることが可能な位置に配置される。本実施例では、タンク１３１上に滑り台本体１１０の下部水平部分が載置される構成を採用した。
上記タンク１３１には、給水ポンプ１３３を備えられる。図３に示すように、上記給水ポンプ１３３に備えた吸込口１３４からタンク１３１内の水等が吸い込まれ、給水ポンプ１３３吐出口１３５から水等を吐出することになる。本実施例では、給水ポンプ１３３の下方に備えた孔が吸込口１３４であり、タンク１３１内の水等が少ない場合であっても給水可能なように構成されている。更に、本実施例では、タンク１３１内部に上記給水ポンプ１３３の吸込口１３４に向かう下りこう配の傾斜部１３８を設ける。上記傾斜部１３８により、タンク１３１内の水等が少ない場合であっても、給水ポンプ１３３の吸込口１３４に上記水等が流れ込むように構成されている。
【００１７】
上記給水ポンプ１３３の吐出口１３５には、パイプ１４０の一端が連結され、給水ポンプ１３３の吐出口１３５から吐出された水等を上記パイプ１４０他端まで伝えることになる。上記パイプ１４０の他端付近は、滑り台本体１１０の中空部分に設けられるノズル１４３に連結される。本実施例では、滑り台本体１１０の上部部材１１３の裏側に上記ノズル１４３を取り付ける。上記ノズル１４３の出口（水等が吐出される部分）から水等が吐出し、滑り台本体１１０の中空部分に流れることになる。
【００１８】
ノズル１４３の形状は、中空の筒の一方端を上下に潰すことでノズル１４３の出口として形成した。上記ノズル１４３を複数形成し、滑り台本体１１０の上部部材１１３の裏側に取り付ける。もちろんノズル１４３の他端は、上記パイプ１４０に連結されるようになっている。本実施例では上記パイプ１４０を組み合わせてＴ字状の部分を形成し（以下Ｔ字パイプ１４０）、当該Ｔ字パイプ１４０の上側水平部分のパイプ１４２を滑り台本体１１０の上部部材１１３の裏側に取り付ける。そして、上記Ｔ字パイプ１４０の上側水平部分のパイプ１４２に複数の孔を開け、当該孔に上記ノズル１４３の他端を嵌めこむ又は連結する構成を採用した。
【００１９】
もちろん上記Ｔ字パイプ１４０の上下部分のパイプ１４１は、滑り台本体１１０の中空部分の内、斜面部分（滑走面の裏側）に組み込まれることになる。なお、上記滑り台本体１１０が、タンク１３１上に載置される際には、タンク１３１上部は所定の蓋部材で覆われることになる。蓋部材の表面を後述の衝撃吸収部材で被覆してもよい。なお、蓋部材に孔１３９を形成し、当該孔１３９に上記Ｔ字パイプ１４０を貫通させる構成を採用することもできる。
【００２０】
上記のように構成した滑り台本体１１０は図４に示すように、支持体で支持されることになる。図４は、本発明の滑り台装置１００の側面図及び上面図であり、図５は、滑り台本体１１０を支持する設置台１５０（支持体に相当する）の拡大模式図である。
上記設置台１５０は以下に示すように形成される。床面に配置される基体１５１の両側面に支柱１５２を立設する。そして、パイプを環状に形成した複数の環状部材１５５を、互いに所定間隔空けて上記両支柱１５２間に階段状に配置する。すなわち、図４（Ｂ）に示すように、設置台を上面視したとき、環状部材１５５を互いに所定距離だけずらして、上記支柱間１５２に配置する。なお、環状部材１５５の外径は、上記両支柱１５２間に配置可能な距離で形成されることは言うまでもない。階段状に配置した上記環状部材１５５に手すりを設けてもよい。
【００２１】
両支柱１５２間に配置された環状部材１５５の内、最上段の環状部材１５５上にはユーザの落下を防止するための床材（図示しない）が載置される、更に、当該最上段の環状部材１５５上には、上記滑り台本体１１０の上部水平部分が載置されるので、最上段の環状部材１５５の高さが上記滑り台本体１１０を載置可能な高さになるように、設置台１５０全体の高さを調整する。また、滑り台本体１１０は、上記タンク１３１上にも載置されるので、最上段の環状部材１５５と、床面に設置した上記タンク１３１との間に、上記滑り台本体１１０が載置可能なように、上記最上段の環状部材１５５の高さを調整する。更に、最上段の環状部材１５５には、上記滑り台本体１１０を載置するための横桟１６０を備える。
【００２２】
最上段の環状部材１５５には、ユーザが起立状態で掴まることが可能な側面部材を設置する。本実施例では、最上台の環状部材の両側面に一対の環状部材（以下側面環状部材１５６と称す）を立設して上記側面部材とした。ユーザが最上段の環状部材１５５まで登ったとき、その側面から落下するのを防止するために、側面部材には、落下防止手段を備える。例えば、側面環状部材１５６の内径（以下環状部分の径を示す。）より小さな外径を有する小環状部材１５７，１５８（互いの外径を異にして形成する）を複数形成し、大小の環状部材の中心軸が上記側面環状部材１５６の中心軸と略同一となるように、上記小環状部材１５７，１５８を配置した。例えば、上記基体１５１側面に立設された支柱１５２を延長して、当該支柱１５２に、上記大小の環状部材１５７，１５８を支持させる。そして、中心に位置する小環状部材１５８の隙間をシート等で覆う構成とした。
【００２３】
上記設置台１５０には、所定の衝撃吸収材が被覆される。この衝撃吸収材は、設置台１５０の外枠にウレタン等の発泡体を被覆する。例えば、中級円筒の衝撃吸収材の一方側面を切断して棒状の表面に被覆可能に形成する。そして、設置台１５０の全部又は、一部（例えば、環状部材１５５等ユーザが接触することが予想される部分）に衝撃吸収材を被覆した後、当該衝撃吸収材の表面に、ゴム樹脂を塗布することで、衝撃吸収材の表面を撥水加工する。もちろん、ゴム樹脂を塗布する際に、上記衝撃吸収材の側面（切断した部分）も接着剤等で閉じられることになる。なお、上記衝撃吸収材は、ウレタン以外の組成物であってもよく、ポリエチレン等の発泡体等の衝撃吸収材が好適に用いられる。
【００２４】
上記設置台１５０を衝撃吸収材で被覆することで、ユーザが誤って遊具から落下したとしても、衝撃吸収材によって衝撃が緩和され怪我をするのを効果的に防止することができる。上記タンク１３１を上記衝撃吸収材で被覆する構成を採用しても構わない。
上記滑り台本体１１０に所定の装飾を備えてもよい。例えば、滑り台本体１１０を構成する下側滑り台部材１１５の幅を上側滑り台部材１１１の幅より小さく形成したので、図２に示すように、滑り台本体１１０を組み立てると、下側滑り台部材１１５の縁と上側滑り台部材１１１の縁との間に隙間１１７が生じる。本実施例では、上記隙間１１７に装飾部材（例えば、ＬＥＤを複数備えたＬＥＤリボン）を取り付ける。
【００２５】
次に、本発明の滑り台装置１００の使用方法を説明する。まず、上側滑り台部材１１１と下側滑り台部材１１５に流水機構１３０のＴ字パイプを組み込んだ滑り台本体１１０を設置台１５０及び、タンク１３１に載置する。すなわち、滑り台本体１１０が、タンク１３１と設置台１５０で支持される。
次に、水等の液体（以下水を例にして説明する）をタンク１３１に満たす。そして、タンク１３１内の給水ポンプ１３３のスイッチをＯＮすることで給水ポンプ１３３が作動し、タンク１３１内の水が、給水ポンプ１３３の吸込口１３４から吸い込まれ、ポンプ吐出口１３５から当該水を吐出する。ポンプ吐出口１３５から吐出された水は、Ｔ字パイプ１４０（上下部分のパイプ１４１）を介して、滑り台本体１１０の上部まで引き上げられる。そして、同じくＴ字パイプ１４０の上部水平部分のパイプ１４２に連結された複数のノズル１４３から、上記水が噴出することになる。更に、上記ノズル１４３から噴出された水は、滑り台本体１１０の中空部分を通って上記タンク１３１内に戻ることで、タンク１３１内の水が流水機構１３０を介して滑り台本体１１０の中空部分を循環する。したがって、給水ポンプ１３３の作動中は滑り台本体１１０の中空部分にノズル１４３から水が噴出し続けることになる。
【００２６】
ユーザは、設置台１５０の階段状に配置された環状部材１５５を使って、最上段の環状部材１５５に備えた床材上まで登る。このとき、ユーザは、側面部材（上記側面環状部材１５６及び、小環状部材１５７，１５８）に掴まって安定に起立することができる。そして、ユーザは、ノズル１４３から水が噴出している滑り台本体１１０の滑走面を滑り降りることで、いわゆる滝すべり（ウォータースライダ）をしている気分にさせることができる。
【００２７】
給水ポンプ１３３は、加圧により、吸込口１３４から水を吸い込むので、当該給水ポンプ１３３の圧力を制御することで、滑り台本体１１０の中空部分に流れる水量や流れる水の勢い等を変化させることも可能である。
以上説明したように、本発明の滑り台装置１００によれば、大量の水を必要とせずに、ユーザにウォータースライダをしている気分にさせることができる。更に、本発明の滑り台装置１００の給水ポンプ１３３は滑り台本体１１０の外部に設けているので、給水ポンプ１３３の修理、変更等のメンテナンスも簡単に行える遊具を提供することが可能となる。
【産業上の利用可能性】
【００２８】
本発明を使用すると、簡単な構成で、いわゆるウォータースライダをしている気分にさせる滑り台を提供することができる。更に、本発明の滑り台装置は、大量の水を必要としないので、手軽に室内等に設置することが可能である。また、給水ポンプを滑り台本体の外部に設置することで、修理や変更等のメンテナンスに優れた遊具を提供することが可能となる。したがって、その産業上の利用可能性は大きい。
【符号の説明】
【００２９】
１００  滑り台装置
１１０  滑り台本体
１１１  上側滑り台部材
１１２側面部材
１１３上部部材
１１５  下側滑り台部材
１３０流水機構
１３１タンク
１３３給水ポンプ
１４０Ｔ字状パイプ
１４３ノズル
１５０設置台
１５１基体
１５２  支柱
１５５  環状部材
１５６  側面環状部材
【図１】
2011103972.tif 000003
【図２】
2011103972.tif 000004
【図３】
2011103972.tif 000005
【図４】
2011103972.tif 000006
【図５】
2011103972.tif 000007